(57)【要約】【課題】本考案は、乗客からの脅しや暴力等の危害に対して運転席座席シートのタクシー運転手を守るタクシー防犯料金自動支払装置を提供する。【解決手段】タクシー防犯料金自動支払装置１０の防犯プレート１２は透明なアクリル板で形成されている。防犯プレート１２の中間プレート部１４は運転席座席シート１と助手席座席シート２の間の空間部に配設されている。この中間プレート部１４の上部には運転席座席シート１の背凭れ部１Ａの上方に配設される運転席座席シート対応プレート部１６と助手席座席シート２の背凭れ部２Ａの上方に配設される助手席座席シート対応プレート部１８が突設されている。中間プレート部１４には料金自動支払装置挿入開口部１９が形成され、料金自動支払装置２０の正面部が料金自動支払装置挿入開口部１９に挿入されている。【選択図】図１
0003181446.tif 000002
【実用新案登録請求の範囲】
【請求項１】
運転席座席シートと後部席座席シートを仕切る防犯プレートと、この防犯プレートの中間部に形成されると共に運転席座席シートと助手席座席シートとの間に配設される中間プレート部と、この中間プレート部に形成された料金自動支払装置取付部と、この料金自動支払装置取付部に取り付けられると共に正面部が前記後部席座席シートに対向して設けられた料金自動支払装置と、を有してなることを特徴とするタクシー防犯料金自動支払装置。
【請求項２】
運転席座席シートと後部席座席シートを仕切る防犯プレートと、この防犯プレートの中間部に形成されると共に運転席座席シートと助手席座席シートとの間に上下方向に向かって配設される中間プレート部と、この中間プレート部の上部に突設形成されると共に運転席座席シートの背凭れ部の上方に配設される運転席座席シート対応プレート部と、前記中間プレート部の上部に突設形成されると共に助手席座席シートの背凭れ部の上方に配設される助手席座席シート対応プレート部と、前記中間プレート部に形成された料金自動支払装置取付部と、この料金自動支払装置取付部に取り付けられ取り付けられると共に正面部が前記後部席座席シートに対向して設けられた料金自動支払装置と、を有してなることを特徴とするタクシー防犯料金自動支払装置。
【請求項３】
運転席座席シートと後部席座席シートを仕切る防犯プレートと、この防犯プレートの中間部に形成されると共に運転席座席シートと助手席座席シートとの間に上下方向に向かって配設される中間プレート部と、この中間プレート部の上部に突設形成されると共に運転席座席シートの背凭れ部の上方に配設される運転席座席シート対応プレート部と、前記中間プレート部に連続形成されると共に運転席座席シートと助手席座席シートの間に配設されて前記運転席座席シートと前記助手席座席シートを仕切る助手席座席仕切プレート部と、前記中間プレート部に形成された料金自動支払装置取付部と、この料金自動支払装置取付部に取り付けられ取り付けられると共に正面部が前記後部席座席シートに対向して設けられた料金自動支払装置と、を有してなることを特徴とするタクシー防犯料金自動支払装置。
【考案の詳細な説明】
【技術分野】
【０００１】
本考案は、タクシーの車内に設けられて運転席坐席シートに座るタクシー運転手を乗客の暴力等の危害から守るタクシー防犯料金自動支払装置に関する。
【背景技術】
【０００２】
タクシーには昼夜を問わず不特定多数の乗客が乗降するため、タクシーの車内ではタクシー運転手と乗客だけの密室状態となる。しかも、タクシーの車内にはタクシー料金の売上金等の金銭があるため、不法な乗客がタクシー運転手を脅したり暴力等の危害を加えてタクシーの売上金等の金銭を奪う事件が発生し易い状態となる。
そこで、従来より運転席座席シートの上方に透明板を配設して後部座席シートの乗客がタクシー運転手を脅したり暴力等の危害を加えて金銭を要求しようとしても運転席座席シートのタクシー運転手に危害が加わるのを防止する自動車用防犯装置が提案されている（特許文献１）。
しかし、この自動車用防犯装置は運転席座席シートと後部席座席シートを完全に仕切るタイプで無いので防犯が不完全である。
また、この自動車用防犯装置を設置してもタクシー料金の支払いはタクシー運転手と乗客が直接行う必要があるため防犯が不完全であるという不具合がある。
【先行技術文献】
【特許文献】
【０００３】
【特許文献１】実用新案登録第３０６７３４０号
【考案の概要】
【考案が解決しようとする課題】
【０００４】
本考案は、上記事実に鑑みなされたものであり、乗客からの脅しや暴力等の危害に対して運転席座席シートのタクシー運転手を守ることができるタクシー防犯料金自動支払装置を提供するものである。
【課題を解決するための手段】
【０００５】
請求項１の考案は、運転席座席シートと後部席座席シートを仕切る防犯プレートと、この防犯プレートの中間部に形成されると共に運転席座席シートと助手席座席シートとの間に配設される中間プレート部と、この中間プレート部に形成された料金自動支払装置取付部と、この料金自動支払装置取付部に取り付けられると共に正面部が前記後部席座席シートに対向して設けられた料金自動支払装置と、を有してなることを特徴としている。
請求項２の考案は、運転席座席シートと後部席座席シートを仕切る防犯プレートと、この防犯プレートの中間部に形成されると共に運転席座席シートと助手席座席シートとの間に上下方向に向かって配設される中間プレート部と、この中間プレート部の上部に突設形成されると共に運転席座席シートの背凭れ部の上方に配設される運転席座席シート対応プレート部と、前記中間プレート部の上部に突設形成されると共に助手席座席シートの背凭れ部の上方に配設される助手席座席シート対応プレート部と、前記中間プレート部に形成された料金自動支払装置取付部と、この料金自動支払装置取付部に取り付けられ取り付けられると共に正面部が前記後部席座席シートに対向して設けられた料金自動支払装置と、を有してなることを特徴としている。
請求項３の考案は、運転席座席シートと後部席座席シートを仕切る防犯プレートと、この防犯プレートの中間部に形成されると共に運転席座席シートと助手席座席シートとの間に上下方向に向かって配設される中間プレート部と、この中間プレート部の上部に突設形成されると共に運転席座席シートの背凭れ部の上方に配設される運転席座席シート対応プレート部と、前記中間プレート部に連続形成されると共に運転席座席シートと助手席座席シートの間に配設されて前記運転席座席シートと前記助手席座席シートを仕切る助手席座席仕切プレート部と、前記中間プレート部に形成された料金自動支払装置取付部と、この料金自動支払装置取付部に取り付けられ取り付けられると共に正面部が前記後部席座席シートに対向して設けられた料金自動支払装置と、を有してなることを特徴としている。
【考案の効果】
【０００６】
本考案のタクシー防犯料金自動支払装置は、運転席座席シートと後部席座席シートとの間に防犯プレートを設けると共に料金自動支払装置を介してタクシー料金の支払いを自動的に行うことができるので、運転席座席シートに座っているタクシー運転手が後部席座席シートの乗客から暴力等の危害を受けることを防止できるという優れた効果を有する。
また、本考案のタクシー防犯料金自動支払装置は、タクシーの車内にタクシー防犯料金自動支払装置を設けることによりタクシー運転手から金銭等を奪うつもりで乗車した乗客に対して犯行の抑止力となり、タクシー犯罪を未然に防止できるという優れた効果を有する。
さらに、請求項３の本考案のタクシー防犯料金自動支払装置は、運転席座席シートに座っているタクシー運転手が後部席座席シートの乗客からだけでなく助手席座席シートの乗客からも暴力等の危害を受けることを防止できるという優れた効果を有する。
【図面の簡単な説明】
【０００７】
【図１】第１実施例のタクシー防犯料金自動支払装置を設置した状態の全体斜視図である。
【図２】第１実施例のタクシー防犯料金自動支払装置を設置した状態の一部概略縦断面図である。
【図３】第１実施例のタクシー防犯料金自動支払装置の一部正面図である。
【図４】第２実施例のタクシー防犯料金自動支払装置を設置した状態の全体斜視図である。
【図５】第３実施例のタクシー防犯料金自動支払装置を設置した状態の全体斜視図である。
【考案を実施するための形態】
【０００８】
考案を実施するために最良の形態の例として以下のような実施例を示す。
【実施例１】
【０００９】
図１〜図３には本考案に係るタクシー防犯料金自動支払装置の第１実施例が示されている。
図１には実施例のタクシー防犯料金自動支払装置１０を設置したタクシーの車内の一部斜視図が示されている。このタクシー防犯料金自動支払装置１０の防犯プレート１２は正面視略Ｔに形成されている。
この防犯プレート１２の左右方向中間部に形成された中間プレート部１４は運転席座席シート１の背凭れ部１Ａと助手席座席シート２の背凭れ部２Ａの間の空間部と背凭れ部１Ａ及び背凭れ部２Ａの間の空間部の上方に配設される部分であり、上下方向に長く形成されている。この中間プレート部１４により運転席座席シート１の背凭れ部１Ａと助手席座席シート２の背凭れ部２Ａの間の空間部と背凭れ部１Ａ及び背凭れ部２Ａの間の上方の空間部が塞がれるようになっている。
前記中間プレート部１４の上部には運転席座席シート１の背凭れ部１Ａの上方に配設される運転席座席シート対応プレート部１６と助手席座席シート２の背凭れ部２Ａの上方に配設される助手席座席シート対応プレート部１８が左右方向に突設形成されている。この運転席座席シート対応プレート部１６は運転席座席シート１の背凭れ部１Ａと車両天井との間の空間部に配設される部分であり、運転席座席シート対応プレート部１６により運転席座席シート１の背凭れ部１Ａと車両天井との間の空間部が塞がれるようになっている。また、前記助手席座席シート対応プレート部１８は助手席座席シート２の背凭れ部２Ａと車両天井との間の空間部に配設される部分であり、助手席座席シート対応プレート部１８により助手席座席シート２の背凭れ部２Ａと車両天井との間の空間部が塞がれるようになっている。
前記運転席座席シート対応プレート部１６には第１ヘッドレスト対応切欠部１６Ａが形成されて運転席座席シート１のヘッドレスト１Ｂが対応するようになっている。また、前記助手席座席シート対応プレート部１８には第２ヘッドレスト対応切欠部１８Ａが形成されて助手席座席シート２のヘッドレスト２Ｂが対応するようになっている。
前記運転席座席シート対応プレート部１６に第１ヘッドレスト対応切欠部１６Ａを、前記助手席座席シート対応プレート部１８に第２ヘッドレスト対応切欠部１８Ａを、それぞれ形成することにより、運転席座席シート１の背凭れ部１Ａと助手席座席シート２の背凭れ部２Ａを後方にリクライニングすることができる。
なお、前記防犯プレート１２の上端部は図示しないビス等の適宜固定手段で車両天井と固定されている。これにより、防犯プレート１２はタクシーの車体に強固に取り付けられている。
従って、前記防犯プレート１２を設けることにより運転席座席シート１及び助手席座席シート２と後部席座席シート３（図２参照）の間を確実に仕切ることができるようになっている。
前記防犯プレート１２は無色透明な透明アクリル板で形成されている。この透明アクリル板は一定の厚みと強度を備え、衝撃等に耐えることができるようになっている。
なお、前記防犯プレート１２を無色透明な透明アクリル板で形成することによりタクシーの車内にタクシー防犯料金自動支払装置１０を設けても車内の閉塞感や違和感を軽減することができるようになっている。
また、前記防犯プレート１２には図示しないが小さい通気孔が複数貫通形成されている。これら通気孔を設けることにより車内の通気やタクシー運転手と後部席座席シート３の乗客の会話が阻害されることを防止している。
前記防犯プレート１２の中間プレート部１４の下部には料金自動支払装置取付部としての料金自動支払装置挿入開口部１９が切り欠き形成されている。
図２に示されるように、運転席座席シート１と助手席座席シート２の間に位置するコンソールボックス４には公知の料金自動支払装置２０が載置配設されている。この料金自動支払装置２０の正面部は前記料金自動支払装置挿入開口部１９に挿入されている。
従って、前記料金自動支払装置２０の正面は前記後部席座席シート３と対向し、料金自動支払装置２０の正面に形成された操作パネル部２２は後部席座席シート３と対向するようになっている。
図３に示されるように、この操作パネル部２２には、タクシー利用料金等を表示する為のタクシー料金表示部２４、紙幣挿入口２６、硬貨挿入口２８、釣銭返却ボタン３０、釣銭返却部３２が設けられている。
また、前記操作パネル２２にはクレジットカード読取部３４、パスモ等のプリペイドカードを挿入するプリペイドカード挿入口３６、タクシーチケット挿入口３８が設けられている。また、精算ボタン４０、領収書発行部４２も設けられている。
従って、乗客は前記料金自動支払装置２０の操作パネル部２２を操作することによりタクシー運転手の手を煩わせることなくタクシー料金の支払いを一人で自動的に行うことができるようになっている。
【００１０】
次に、第１実施例のタクシー防犯料金自動支払装置１０の作用について説明する。
タクシー防犯料金自動支払装置１０が設けられたタクシーに乗車した乗客が降車する際にタクシー料金を支払う場合は前記料金自動支払装置２０の操作パネル部２２のタクシー料金表示部２４に表示されたタクシー料金を前記料金自動支払装置２０を操作して支払う。この実施例の料金自動支払装置２０においては現金だけでなくプリペイドカードやクレジットカード、タクシーチケットで支払うことができるので乗客は各種支払方法に対応できるようになっている。
このため、乗客は前記料金自動支払装置２０を介して一人でタクシー料金を支払うことができるので、タクシー運転手は乗客と現金等のやりとりを直接行うことは無い。また、運転席座席シート１と後部席座席シート３の間には運転席座席シート１と後部席座席シート３を確実に仕切る防犯プレート１２が配設されている。
従って、後部席座席シート３の乗客がタクシー内にある売上金等の金銭を奪おうとしたり、タクシー運転手との間で口論等のトラブルが発生して乗客がタクシー運転手に暴力等の危害を加えようとしてもタクシー運転手は乗客からの危害を防止できる。
また、上記構成のタクシー防犯料金自動支払装置１０を車内に設けることによりタクシー運転手から金品等を奪うつもりで乗車した乗客に対しては犯行の抑止力となり、犯罪を未然に防止する効果を有する。
また、女性の社会進出に伴い女性タクシー運転手が増加している現在において男性タクシー運転手に比べて力の弱い女性タクシー運転手にとって本考案は心強い考案である。
【００１１】
図４には本考案に係るタクシー防犯料金自動支払装置の第２実施例が示されている。なお、第１実施例のタクシー防犯料金自動支払装置１０と同一の構成は同一の符号を用いてその説明を省略する。
図４に示されるように、第２実施例のタクシー防犯料金自動支払装置５０の防犯プレート５２は運転席座席シート１と助手席座席シート２の後方に配設された状態で固定されている。この防犯プレート５２は第１実施例のタクシー防犯料金自動支払装置１０の防犯プレート１２と異なり、横長の矩形状に形成されている。この防犯プレート５２も無色透明な透明アクリル板で形成され、この透明アクリル板は一定の厚みと強度を備え、衝撃等に耐えることができるようになっている。前記防犯プレート５２の上端部は図示しないビス等の適宜固定手段で車両天井と固定されている。
従って、前記防犯プレート５２を設けることにより運転席座席シート１及び助手席座席シート２と後部席座席シート３の間を確実に仕切ることができるようになっている。
前記防犯プレート５２の中間部には料金自動支払装置取付部としての料金自動支払装置挿入開口部５４が貫通形成されている。この料金自動支払装置挿入開口部５４にはコンソールボックス４に載置配設された料金自動支払装置２０の正面部が挿入されている。
第２実施例のタクシー防犯料金自動支払装置５０の防犯プレート５２は横長の矩形状に形成されているので、製造が簡単であると共にタクシーの車内に配設し易い。
なお、他の構成及び作用、効果は第１実施例のタクシー防犯料金自動支払装置１０と同一であるので他の説明は省略する。
【００１２】
図５には本考案に係るタクシー防犯料金自動支払装置の第３実施例が示されている。なお、第１実施例のタクシー防犯料金自動支払装置１０と同一の構成は同一の符号を用いてその説明を省略する。
図５に示されるように、第３実施例のタクシー防犯料金自動支払装置６０の防犯プレート６２の中間プレート部１４の助手席座席シート２側には運転席座席シート１と助手席座席シート２を仕切る助手席座席仕切プレート部６４が連続形成されている。この助手席座席仕切プレート部６４の先端にはフロントガラス５（図２参照）に対応するフロントガラス対応部６４Ａとダッシュボード６（図２参照）に対応するダッシュボード対応部６４Ｂが形成されている。前記防犯プレート６２の上端部は図示しないビス等の適宜固定手段で車両天井と固定されている。
従って、前記防犯プレート６２を設けることにより運転席座席シート１と助手席座席シート２及び後部席座席シート３を仕切ることができる。
また、図示はしないが前記助手席座席仕切プレート部６４に料金自動支払装置取付部としての料金自動支払装置挿入開口部を貫通形成してコンソールボックス４に料金自動支払装置２０を載置して料金自動支払装置挿入開口部に料金自動支払装置２０の正面部を挿入するようにしてもよい。これにより助手席座席シート２の乗客がタクシー料金を支払うことができる。
なお、他の構成及び作用、効果は第１実施例のタクシー防犯料金自動支払装置１０と同一であるので他の説明は省略する。
【００１３】
なお、実施例では防犯プレート１２，５２，６２を無色透明な透明アクリル板で形成したが、防犯プレート１２，５２，６２は一定の強度を保つことができればアクリル板に限定されるものでないことは勿論である。
また、料金自動支払装置は実施例で示した構造の料金自動支払装置２０に限定されないことは勿論である。
【産業上の利用可能性】
【００１４】
本考案のタクシー防犯料金自動支払装置は、ハイヤー等の車両に設けて使用することもできる。
【符号の説明】
【００１５】
１０    タクシー防犯料金自動支払装置
１２    防犯プレート
１４    中間プレート部
１６    運転席座席シート対応プレート部
１６Ａ  第１ヘッドレスト対応切欠部
１８    助手席座席シート対応プレート部
１８Ａ  第２ヘッドレスト対応切欠部
１９    料金自動支払装置挿入開口部
２０    料金自動支払装置
２２    操作パネル部
２４    タクシー料金表示部
２６    紙幣挿入口
２８    硬貨挿入口
３０    釣銭返却ボタン
３２    釣銭返却部
３４    クレジットカード読取部
３６    プリペイドカード挿入口
３８    タクシーチケット挿入口
４０    精算ボタン
４２    領収書発行部
５０    タクシー防犯料金自動支払装置
５２    防犯プレート
５４    料金自動支払装置挿入開口部
６０    タクシー防犯料金自動支払装置
６２    防犯プレート
６４    前記助手席座席仕切プレート部
【図１】
0003181446.tif 000003
【図２】
0003181446.tif 000004
【図３】
0003181446.tif 000005
【図４】
0003181446.tif 000006
【図５】
0003181446.tif 000007